(57)【要約】【課題】第１体と第２体とが２軸ヒンジ機構３を介して互いに連結された回動型電子機器において、１つのマグネットと２つの磁界センサーを用いることによって第１体に対する第２体の複数の姿勢を判別する。【解決手段】本発明に係る回動型電子機器において、第２体には、Ｎ極41とＳ極42を有するマグネット４が内蔵されると共に、第１体には、Ｎ極用磁界センサー５とＳ極用磁界センサー６とが内蔵され、マグネット４は、磁化方向軸が第２ヒンジ軸８に対して傾斜する姿勢に設置され、Ｓ極用磁界センサー６は、前記複数の状態の中の１つの状態にて、マグネット４の磁化方向軸の延長線上であってＳ極42からの磁界を受ける位置に配置されると共に、Ｎ極用磁界センサー５は、他の１つの状態にて、マグネット４の磁化方向軸の延長線上であってＮ極41からの磁界を受ける位置に配置されている。【選択図】図１
2013051535.tif 000002
【特許請求の範囲】
【請求項１】
第１体と第２体とが２軸ヒンジ機構を介して互いに回動可能に連結され、２軸ヒンジ機構は、第１体に連結された第１ヒンジ軸と第２体に連結された第２ヒンジ軸とを有し、第１体に対して第２体を第１ヒンジ軸及び／又は第２ヒンジ軸を中心として回動させることにより、第１体に対する第２体の相対姿勢が異なる複数の状態を設定することが可能な回動型電子機器において、
第２体には、１軸方向に磁化されてＮ極とＳ極を有するマグネットが内蔵されると共に、第１体には、マグネットのＮ極から生じる磁界を検知するＮ極用磁界センサーと、マグネットのＳ極から生じる磁界を検知するＳ極用磁界センサーとが内蔵され、マグネットは、磁化方向軸が第２ヒンジ軸に対して傾斜する姿勢に設置され、Ｓ極用磁界センサーは、前記複数の状態の中の１つの状態にて、マグネットの磁化方向軸の延長線上であってＳ極からの磁界を受ける位置に配置されると共に、Ｎ極用磁界センサーは、前記１つの状態以外の他の１つの状態にて、マグネットの磁化方向軸の延長線上であってＮ極からの磁界を受ける位置に配置されていることを特徴とする回動型電子機器。
【請求項２】
第１体と第２体とが２軸ヒンジ機構を介して互いに回動可能に連結され、２軸ヒンジ機構は、第１体に連結された第１ヒンジ軸と第２体に連結された第２ヒンジ軸とを有し、第１体は、第１ヒンジ軸と略平行に拡がる側面を有する一方、第２体は、第２ヒンジ軸と略平行に拡がる内面と外面を有し、第１体の側面に対して第２体の内面を対向させて閉じた第１閉状態と、第１体の側面に対して第２体の外面を対向させて閉じた第２閉状態と、第１体の側面から第２体を開いて第２体の内面を第１ヒンジ軸と交叉する方向へ向けた第１開状態と、第１開状態から第２体を第２ヒンジ軸回りに略１８０度回転させた第２開状態とを設定することが可能な回動型電子機器において、
第２体には、１軸方向に磁化されてＮ極とＳ極を有するマグネットが内蔵されると共に、第１体には、マグネットのＮ極から生じる磁界を検知するＮ極用磁界センサーと、マグネットのＳ極から生じる磁界を検知するＳ極用磁界センサーとが内蔵され、マグネットは、磁化方向軸が第２ヒンジ軸に対して傾斜する姿勢に設置され、Ｓ極用磁界センサーは、前記第１閉状態、第１開状態、第２閉状態及び第２開状態の中の１つの状態にて、マグネットの磁化方向軸の延長線上であってＳ極からの磁界を受ける位置に配置されると共に、Ｎ極用磁界センサーは、前記１つの状態以外の他の１つの状態にて、マグネットの磁化方向軸の延長線上であってＳ極からの磁界を受ける位置に配置されていることを特徴とする回動型電子機器。
【請求項３】
第１体と第２体とが２軸ヒンジ機構を介して互いに回動可能に連結され、２軸ヒンジ機構は、第１体に連結された第１ヒンジ軸と第２体に連結された第２ヒンジ軸とを有し、第１体は、第１ヒンジ軸と略平行に拡がる側面を有する一方、第２体は、第２ヒンジ軸と略平行に拡がる内面と外面を有し、第１体の側面に対して第２体の内面を対向させて閉じた第１閉状態と、第１体の側面に対して第２体の外面を対向させて閉じた第２閉状態と、第１体の側面から第２体を開いて第２体の内面を第１ヒンジ軸と交叉する方向へ向けた第１開状態と、第１開状態から第２体を第２ヒンジ軸回りに略１８０度回転させた第２開状態とを設定することが可能な回動型電子機器において、
第１体には、１軸方向に磁化されてＮ極とＳ極を有するマグネットが内蔵されると共に、第２体には、マグネットのＮ極から生じる磁界を検知するＮ極用磁界センサーと、マグネットのＳ極から生じる磁界を検知するＳ極用磁界センサーとが内蔵され、マグネットは、磁化方向軸が第２ヒンジ軸に対して傾斜する姿勢に設置され、Ｓ極用磁界センサーは、前記第１閉状態、第１開状態、第２閉状態及び第２開状態の中の１つの状態にて、マグネットの磁化方向軸の延長線上であってＳ極からの磁界を受ける位置に配置されると共に、Ｎ極用磁界センサーは、前記１つの状態以外の他の１つの状態にて、マグネットの磁化方向軸の延長線上であってＳ極からの磁界を受ける位置に配置されていることを特徴とする回動型電子機器。
【請求項４】
Ｓ極用磁界センサーは、前記第１閉状態にてマグネットのＳ極からの磁界を受ける位置に配置されると共に、Ｎ極用磁界センサーは、前記第２開状態にてマグネットのＮ極からの磁界を受ける位置に配置されている請求項２又は請求項３に記載の回動型電子機器。
【請求項５】
Ｓ極用磁界センサーは、前記第１閉状態にてマグネットのＳ極からの磁界を受ける位置に配置されると共に、Ｎ極用磁界センサーは、前記第２閉状態と第２開状態にてマグネットのＮ極からの磁界を受ける位置に配置されている請求項２又は請求項３に記載の回動型電子機器。
【請求項６】
第１体には、２軸ヒンジ機構の第１ヒンジ軸と平行若しくは４５度以下の角度で交叉する光軸を有する撮影レンズが配備されると共に、第２体の内面には、前記撮影レンズによって撮影された画像を表示すべきディスプレイが配備されている請求項２、請求項３又は請求項４に記載の回動型電子機器。
【請求項７】
第１体には、２軸ヒンジ機構の第１ヒンジ軸と略９０度の角度で交叉する光軸を有する撮影レンズが配備されると共に、第２体の内面には、前記撮影レンズによって撮影された画像を表示すべきディスプレイが配備されている請求項２、請求項３又は請求項５に記載の回動型電子機器。
【請求項８】
前記Ｎ極用磁界センサー及びＳ極用磁界センサーの検知信号に基づいて、ディスプレイのオン／オフ及び画像表示の向きが制御される請求項６又は請求項７に記載の回動型電子機器。
【発明の詳細な説明】
【技術分野】
【０００１】
本発明は、機器構成部材である第１体と第２体とが２軸ヒンジ機構を介して互いに回動可能に連結された回動型電子機器に関するものである。
【背景技術】
【０００２】
従来、ビデオカメラにおいては、撮影レンズを具えた第１筐体と、ディスプレイを具えた第２筐体とが、２軸ヒンジ機構を介して互いに開閉可能に連結され、２軸ヒンジ機構は、第１筐体に連結された第１ヒンジ軸と第２筐体に連結された第２ヒンジ軸とを有し、第１筐体に対して第２筐体を第１ヒンジ軸及び／又は第２ヒンジ軸を中心として回転させることにより、第１筐体に対する第２筐体の相対姿勢が異なる４つの状態、即ち、携帯時のための第１閉状態と、前方の風景を撮影するための第１開状態と、撮影者自身を撮影するための第２開状態と、撮影した画像を見ることや撮影することが可能な第２閉状態とを設定することが出来る。
【０００３】
第１閉状態では、第１筐体の側面に第２筐体のディスプレイを対向させて第２筐体が閉じられる。第１開状態では、第１筐体から第２筐体が開かれて、第２筐体のディスプレイが撮影者の方向へ向けられる。第２閉状態では、第１筐体の側面に第２筐体の背面を対向させて第２筐体が閉じられる。更に、第２開状態では第１筐体から第２筐体が開かれて、第２筐体のディスプレイが撮影レンズと同じ方向に向けられる。
【０００４】
ここで、第１閉状態ではディスプレイをオフとし、第１開状態、第２閉状態及び第２開状態では、ディスプレイをオンとすると共に、第１開状態に対して第２開状態では、ディスプレイの表示方向を上下逆転させる必要がある。
【０００５】
そこで従来より、ディスプレイのオン／オフ制御と、ディスプレイがオンのときの表示方向の切り換えのために、２軸ヒンジ機構に対して、第１ヒンジ軸回りの回転に応じて動作する第１のオン／オフスイッチと、第２ヒンジ軸回りの回転に応じて動作する第２のオン／オフスイッチとを配備して、２つのオン／オフスイッチのオン／オフ状態の組合せによって、第１筐体に対する第２筐体の複数の姿勢を判別することが行なわれている(特許文献１)。
【０００６】
又、第２筐体に第１及び第２のマグネットを配備すると共に、第１筐体には、第１のマグネットからの磁界を検知する第１の磁界センサーと、第２のマグネットからの磁界を検知する第２の磁界センサーとを配備して、第１磁界センサーのオン／オフと第２磁界センサーのオン／オフの組合せによって、第１筐体に対する第２筐体の複数の姿勢を判別することが行なわれている。
【先行技術文献】
【特許文献】
【０００７】
【特許文献１】特開２００７−１８９６６２号公報
【発明の概要】
【発明が解決しようとする課題】
【０００８】
しかしながら、オン／オフスイッチを用いた前者の方法では、２軸ヒンジ機構に高い防水性能を与えることが困難であるため、オン／オフスイッチが水の浸入によって誤動作する虞がある。
これに対し、それぞれ２つのマグネットと磁界センサーを用いた後者の方法では、マグネットと磁界センサーをそれぞれ筐体の内部に収容することが出来るので、防水を図ることは容易であるが、２つのマグネットを装備する必要があるため、軽量化、小型化が困難となる問題がある。又、２つのマグネットの磁界が互いに干渉して、検知不良が生じる虞がある。
【０００９】
そこで本発明は、１つのマグネットと２つの磁界センサーを用いることによって第１体に対する第２体の複数の姿勢を判別することが出来る回動型電子機器を提供することを目的とする。
【課題を解決するための手段】
【００１０】
本発明に係る回動型電子機器においては、第１体と第２体とが２軸ヒンジ機構(３)を介して互いに回動可能に連結され、２軸ヒンジ機構(３)は、第１体に連結された第１ヒンジ軸(７)と第２体に連結された第２ヒンジ軸(８)とを有し、第１体に対して第２体を第１ヒンジ軸(７)及び／又は第２ヒンジ軸(８)を中心として回動させることにより、第１体に対する第２体の相対姿勢が異なる複数の状態を設定することが可能である。
尚、第１体と第２体とが互いに回動可能に連結されている構成には、第１体と第２体とが互いに開閉可能に連結されている態様が含まれる。
【００１１】
ここで、第２体には、１軸方向に磁化されてＮ極(41)とＳ極(42)を有するマグネット(４)が内蔵されると共に、第１体には、マグネット(４)のＮ極(41)から生じる磁界を検知するＮ極用磁界センサー(５)と、マグネット(４)のＳ極(42)から生じる磁界を検知するＳ極用磁界センサー(６)とが内蔵されている。
【００１２】
マグネット(４)は、磁化方向軸が第２ヒンジ軸(８)に対して傾斜する姿勢に設置されている。Ｓ極用磁界センサー(６)は、前記複数の状態の中の１つの状態にて、マグネット(４)の磁化方向軸の延長線上であってＳ極(42)からの磁界を受ける位置に配置されると共に、Ｎ極用磁界センサー(５)は、前記１つの状態以外の他の１つの状態にて、マグネット(４)の磁化方向軸の延長線上であってＮ極(41)からの磁界を受ける位置に配置されている。
【００１３】
上記回動型電子機器においては、マグネット(４)が第２ヒンジ軸(８)に対して傾斜する姿勢に設置されているため、前記１つの状態が設定されたときは、マグネット(４)のＳ極(42)からの磁界がＳ極用磁界センサー(６)に作用する様に、Ｓ極用磁界センサー(６)を配置すると共に、前記他の１つの状態が設定されたときは、マグネット(４)のＮ極(41)からの磁界がＮ極用磁界センサー(５)に作用する様に、Ｎ極用磁界センサー(５)を配置することが可能となる。
【００１４】
これによって、前記１つの状態が設定されたときは、マグネット(４)のＳ極(42)からの磁界がＳ極用磁界センサー(６)に作用して、Ｓ極用磁界センサー(６)はオンとなる。このとき、Ｎ極用磁界センサー(５)は、マグネット(４)のＮ極(41)からの磁界を受けることなく、オフのままである。
又、前記他の１つの状態が設定されたときは、マグネット(４)のＮ極(41)から磁界がＮ極用磁界センサー(５)に作用して、Ｎ極用磁界センサー(５)はオンとなる。このとき、Ｓ極用磁界センサー(６)は、マグネット(４)のＳ極(42)からの磁界を受けることはなく、オフのままである。
更に他の状態が設定されたときは、Ｎ極用磁界センサー(５)及びＳ極用磁界センサー(６)はそれぞれマグネット(４)のＮ極(41)及びＳ極(42)からの磁界を受けることはなく、オフのままである。
【００１５】
従って、Ｎ極用磁界センサー(５)のオン／オフとＳ極用磁界センサー(６)のオン／オフの組合せによって、第１体に対する第２体の３以上の複数の姿勢を判別することが出来る。
【００１６】
又、本発明に係る回動型電子機器においては、第１体と第２体とが２軸ヒンジ機構(３)を介して互いに回動可能に連結され、２軸ヒンジ機構(３)は、第１体に連結された第１ヒンジ軸(７)と第２体に連結された第２ヒンジ軸(８)とを有し、第１体は、第１ヒンジ軸(７)と略平行に拡がる側面(12)を有する一方、第２体は、第２ヒンジ軸(８)と略平行に拡がる内面(22)と外面(23)を有し、第１体の側面(12)に対して第２体の内面(22)を対向させて閉じた第１閉状態と、第１体の側面(12)に対して第２体の外面(23)を対向させて閉じた第２閉状態と、第１体の側面(12)から第２体を略９０度開いて第２体の内面(22)を第１ヒンジ軸(７)と交叉する方向へ向けた第１開状態と、第１開状態から第２体を第２ヒンジ軸回りに略１８０度回転させた第２開状態とを設定することが可能である。
【００１７】
ここで、第２体には、１軸方向に磁化されてＮ極(41)とＳ極(42)を有するマグネット(４)が内蔵されると共に、第１体には、マグネット(４)のＮ極(41)から生じる磁界を検知するＮ極用磁界センサー(５)と、マグネット(４)のＳ極(42)から生じる磁界を検知するＳ極用磁界センサー(６)とが内蔵されている。
【００１８】
マグネット(４)は、磁化方向軸が第２ヒンジ軸(８)に対して傾斜する姿勢に設置されている。Ｓ極用磁界センサー(６)は、前記第１閉状態、第１開状態、第２閉状態及び第２開状態の中の１つの状態にて、マグネット(４)の磁化方向軸の延長線上であってＳ極(42)からの磁界を受ける位置に配置されると共に、Ｎ極用磁界センサー(５)は、前記１つの状態以外の他の１つの状態にて、マグネット(４)の磁化方向軸の延長線上であってＮ極(41)からの磁界を受ける位置に配置されている。
【００１９】
上記回動型電子機器の第１の具体的態様において、Ｓ極用磁界センサー(６)は、前記第１閉状態にてマグネット(４)のＳ極(42)からの磁界を受ける位置に配置されると共に、Ｎ極用磁界センサー(５)は、前記第２開状態にてマグネット(４)のＮ極(41)からの磁界を受ける位置に配置されている。
【００２０】
該第１の具体的態様においては、マグネット(４)が第２ヒンジ軸(８)に対して傾斜する姿勢に設置されているため、第１閉状態が設定されたときは、マグネット(４)のＳ極(42)からの磁界がＳ極用磁界センサー(６)に作用する様に、Ｓ極用磁界センサー(６)を配置すると共に、第２開状態が設定されたときは、マグネット(４)のＮ極(41)から磁界がＮ極用磁界センサー(５)に作用する様に、Ｎ極用磁界センサー(５)を配置することが可能となる。
【００２１】
これによって、第１閉状態が設定されたときは、マグネット(４)のＳ極(42)からの磁界がＳ極用磁界センサー(６)に作用して、Ｓ極用磁界センサー(６)はオンとなる。このとき、Ｎ極用磁界センサー(５)は、マグネット(４)のＮ極(41)からの磁界を受けることなく、オフのままである。
又、第２開状態が設定されたときは、マグネット(４)のＮ極(41)からの磁界がＮ極用磁界センサー(５)に作用して、Ｎ極用磁界センサー(５)はオンとなる。このとき、Ｓ極用磁界センサー(６)は、マグネット(４)のＳ極(42)からの磁界を受けることはなく、オフのままである。
更に、第１開状態や第２閉状態が設定されたときは、Ｎ極用磁界センサー(５)及びＳ極用磁界センサー(６)はそれぞれ、マグネット(４)のＮ極(41)やＳ極(42)からの磁界を受けることはなく、オフのままである。
【００２２】
従って、Ｎ極用磁界センサー(５)のオン／オフとＳ極用磁界センサー(６)のオン／オフの組合せによって、第１閉状態と、第１開状態又は第２閉状態と、第２開状態とを判別することが出来る。
【００２３】
上記回動型電子機器の第２の具体的態様において、Ｓ極用磁界センサー(６)は、前記第１閉状態にてマグネット(４)のＳ極(42)からの磁界を受ける位置に配置されると共に、Ｎ極用磁界センサー(５)は、前記第２閉状態と第２開状態にてマグネット(４)のＮ極(41)からの磁界を受ける位置に配置されている。
【００２４】
該第２の具体的態様においては、マグネット(４)が第２ヒンジ軸(８)に対して傾斜する姿勢に設置されているため、第１閉状態が設定されたときは、マグネット(４)のＳ極(42)からの磁界がＳ極用磁界センサー(６)に作用する様に、Ｓ極用磁界センサー(６)を配置すると共に、第２閉状態と第２開状態が設定されたときは、マグネット(４)のＮ極(41)から磁界がＮ極用磁界センサー(５)に作用する様に、Ｎ極用磁界センサー(５)を配置することが可能となる。
【００２５】
これによって、第１閉状態が設定されたときは、マグネット(４)のＳ極(42)からの磁界がＳ極用磁界センサー(６)に作用して、Ｓ極用磁界センサー(６)はオンとなる。このとき、Ｎ極用磁界センサー(５)は、マグネット(４)のＮ極(41)からの磁界を受けることなく、オフのままである。
又、第２閉状態が設定されたときは、マグネット(４)のＮ極(41)からの磁界がＮ極用磁界センサー(５)に作用して、Ｎ極用磁界センサー(５)はオンとなる。このとき、Ｓ極用磁界センサー(６)は、マグネット(４)のＳ極(42)からの磁界を受けることはなく、オフのままである。
又、第２開状態が設定されたときは、マグネット(４)のＮ極(41)からの磁界がＮ極用磁界センサー(５)に作用して、Ｎ極用磁界センサー(５)はオンとなる。このとき、Ｓ極用磁界センサー(６)は、マグネット(４)のＳ極(42)からの磁界を受けることはなく、オフのままである。
更に、第１開状態が設定されたときは、Ｎ極用磁界センサー(５)及びＳ極用磁界センサー(６)はそれぞれ、マグネット(４)のＮ極(41)やＳ極(42)からの磁界を受けることはなく、オフのままである。
【００２６】
従って、Ｎ極用磁界センサー(５)のオン／オフとＳ極用磁界センサー(６)のオン／オフの組合せによって、第１閉状態と、第１開状態と、第２閉状態又は第２開状態とを判別することが出来る。
【００２７】
更に具体的な態様において、第１体には、２軸ヒンジ機構(３)の第１ヒンジ軸(７)と平行若しくは４５度以下の角度で交叉する光軸を有する撮影レンズ(10)が配備されると共に、第２体の内面(22)には、前記撮影レンズ(10)によって撮影された画像を表示すべきディスプレイ(21)が配備されている。
これによって、所謂縦型のビデオカメラが構成される。
【００２８】
又、第１体には、２軸ヒンジ機構(３)の第１ヒンジ軸(７)と略９０度の角度で交叉する光軸を有する撮影レンズ(10)が配備されると共に、第２体の内面(22)には、前記撮影レンズ(10)によって撮影された画像を表示すべきディスプレイ(21)が配備されている。
これによって、所謂横型のビデオカメラが構成される。
【００２９】
そして、前記Ｎ極用磁界センサー(５)及びＳ極用磁界センサー(６)の検知信号に基づいて、ディスプレイ(21)のオン／オフ及び画像表示の向きが制御される。
これによって、第１体に対する第２体の位置及び姿勢に応じて、ディスプレイ(21)が隠れた状態ではディスプレイ(21)がオフとなり、ディスプレイ(21)が露出した状態では、第１体を把持したときの第２体の向きに応じて、ディスプレイ(21)に映出される画像の向きが切り換えられる。
【発明の効果】
【００３０】
本発明に係る回動型電子機器によれば、１つのマグネットと２つの磁界センサーを配備した構成によって第１体に対する第２体の複数の姿勢を判別することが出来る。従って、従来の回動型電子機器と比較して、第２体に配備すべきマグネットの数が減少し、これによって機器の小型化と軽量化が可能となると共に、検知不良の発生が抑制される。
【図面の簡単な説明】
【００３１】
【図１】図１は、本発明の第１実施形態である縦型ビデオカメラの第１開状態を後方から見た斜視図である。
【図２】図２は、該ビデオカメラを第１閉状態から第１開状態又は第２開状態へ移行させる過程の中間状態を前方から見た斜視図である。
【図３】図３は、該ビデオカメラの第１開状態を前方から見た斜視図である。
【図４】図４は、該ビデオカメラの第１閉状態を示す３面図である。
【図５】図５は、該ビデオカメラの第１開状態を示す３面図である。
【図６】図６は、該ビデオカメラの第２閉状態を示す３面図である。
【図７】図７は、該ビデオカメラの第２開状態を示す３面図である。
【図８】図８は、本発明の第２実施形態である横型ビデオカメラの第１開状態を前方から見た斜視図である。
【図９】図９は、該ビデオカメラの第１開状態を後方から見た斜視図である。
【図１０】図１０は、該ビデオカメラの第１閉状態を示す３面図である。
【図１１】図１１は、該ビデオカメラの第１開状態を示す３面図である。
【図１２】図１２は、該ビデオカメラの第２閉状態を示す３面図である。
【図１３】図１３は、該ビデオカメラの第２開状態を示す３面図である。
【図１４】図１４は、第１実施形態であるビデオカメラにおける状態変化に応じた画像表示の制御を説明する図表である。
【図１５】図１５は、第２実施形態であるビデオカメラにおける状態変化に応じた画像表示の制御を説明する図表である。
【発明を実施するための形態】
【００３２】
以下、本発明を開閉式のビデオカメラに実施した２つの実施形態につき、図面に沿って具体的に説明する。
【００３３】
１．第１実施形態
第１実施形態によるビデオカメラは、図１、図２及び図３に示す様に、所謂縦型のビデオカメラであって、縦長の第１筐体(１)の側部に２軸ヒンジ機構(３)を介して第２筐体(２)が開閉可能に連結されている。
２軸ヒンジ機構(３)は、前後方向に延びて第１筐体(１)に連結された第１ヒンジ軸(７)と、第１ヒンジ軸(７)と直交する方向に延びて第２筐体(２)に連結された第２ヒンジ軸(８)とを有し、第１ヒンジ軸(７)と第２ヒンジ軸(８)とは互いに直交している。
【００３４】
第１筐体(１)は、第１ヒンジ軸(７)と平行な側面(12)を有し、第２筐体(２)は、第２ヒンジ軸(８)に沿って拡がる内面(22)と外面(23)を有している。
第１筐体(１)には撮影レンズ(10)や操作釦(11)が配備され、第２筐体(２)の内面(22)にはディスプレイ(21)が配備されている。
【００３５】
第２筐体(２)の内部には、１軸方向に磁化されてＮ極(41)とＳ極(42)を有するマグネット(４)が、その磁化方向軸を第２ヒンジ軸(８)に対して傾斜させて配置されている。
一方、第１筐体(１)の内部には、マグネット(４)のＮ極(41)から生じる磁界を検知することが可能なＮ極用磁界センサー(５)と、マグネット(４)のＳ極(42)から生じる磁界を検知することが可能なＳ極用磁界センサー(６)とが、側面(12)に沿って第１ヒンジ軸(７)方向と第１ヒンジ軸(７)に直交する軸方向の２方向のずれを伴って配備されている。
【００３６】
図２に示す様に、第２筐体(２)は、第１ヒンジ軸(７)回りに回転させることによって、矢印Ａの如く第１筐体(１)に対して開閉が可能である。又、図３に示す様に、第２筐体(２)は、第１筐体(１)から９０度開いた状態で第２ヒンジ軸(８)回りに正逆に回転させることにより、矢印Ｂに示す如く第２筐体(２)の外面(23)の向きを変えることが可能である。
これによって、図４に示す第１閉状態と、図５に示す第１開状態と、図６に示す第２閉状態と、図７に示す第２開状態とを設定することが出来る。
【００３７】
図４に示す如く第１閉状態では、第２筐体(２)がその内面を第１筐体(１)の側面に対向させて閉じられている。これによって全体がコンパクトに折り畳まれると共に、第２筐体(２)のディスプレイ(21)が隠れることによって、携帯時のディスプレイ(21)の損傷を防止することが出来る。
【００３８】
第１閉状態で、Ｓ極用磁界センサー(６)は、マグネット(４)の磁化方向軸の延長線上であって、Ｓ極(42)からの磁界を最も強く受ける位置に配置されており、Ｓ極(42)から生じる磁界によってオンとなる。
これに対し、Ｎ極用磁界センサー(５)は、マグネット(４)の磁化方向軸の延長線上からずれており、Ｎ極(41)からの磁界を殆ど受けることがないため、オフのままである。
【００３９】
そこで、図１４に示す様にＳ極用磁界センサー(６)がオン、Ｎ極用磁界センサー(５)がオフのときは、ディスプレイ(21)の画像表示をオフとする。
【００４０】
図５に示す如く第１開状態では、第１閉状態から第２筐体(２)が第１ヒンジ軸(７)を中心として９０度回転し、更に第２筐体(２)が第２ヒンジ軸(８)を中心として反時計回りに略９０度回転することによって、第１筐体(１)を把持する撮影者側にディスプレイ(21)を向けて開かれている。これによって、撮影者はディスプレイ(21)の映像を確認しながら前方の風景を撮影することが出来る。
【００４１】
第１開状態で、Ｎ極用磁界センサー(５)及びＳ極用磁界センサー(６)はそれぞれ、マグネット(４)の磁化方向軸の延長線上からずれており、Ｎ極(41)やＳ極(42)からの磁界を殆ど受けることがないため、オフのままである。
【００４２】
そこで、図１４に示す様にＳ極用磁界センサー(６)とＮ極用磁界センサー(５)が共にオフのときは、ディスプレイ(21)の画像表示をオンとする。
【００４３】
図６に示す如く第２閉状態では、第２筐体(２)がその外面を第１筐体(１)の側面に対向させて閉じられている。これによって、第２筐体(２)が閉じた状態でディスプレイ(21)を露出させることが出来るので、全体をコンパクトに折り畳んだ状態で、撮影した映像をディスプレイ(21)によって見ることが出来る。
【００４４】
第２閉状態で、Ｎ極用磁界センサー(５)及びＳ極用磁界センサー(６)はそれぞれ、マグネット(４)の磁化方向軸の延長線上からずれており、Ｎ極(41)やＳ極(42)からの磁界を殆ど受けることがないため、オフのままである。
【００４５】
そこで、図１４に示す様にＳ極用磁界センサー(６)とＳ極用磁界センサー(６)が共にオフのときは、ディスプレイ(21)の画像表示をオンとする。
【００４６】
図７に示す如く第２開状態では、第１閉状態から第２筐体(２)が第１ヒンジ軸(７)回りに９０度回転し、更に第２筐体(２)が第２ヒンジ軸(８)を中心として時計回りに略９０度回転することによって、ディスプレイ(21)を撮影レンズ(10)と同じ方向に向けて開かれている。これによって、撮影者は、撮影レンズ(10)を自己の方向へ向けて、ディスプレイ(21)の映像を確認しながら、自己を撮影することが出来る。
【００４７】
第２開状態で、Ｎ極用磁界センサー(５)は、マグネット(４)の磁化方向軸の延長線上であって、Ｎ極(41)からの磁界を最も強く受ける位置に配置されており、Ｎ極(41)から生じる磁界によってオンとなる。
これに対し、Ｓ極用磁界センサー(６)は、マグネット(４)の磁化方向軸の延長線上からずれており、Ｓ極(42)からの磁界を殆ど受けることがないため、オフのままである。
【００４８】
そこで、図１４に示す様にＳ極用磁界センサー(６)がオフ、Ｓ極用磁界センサー(６)がオンのときは、ディスプレイ(21)の画像表示をオンとすると共に、画像表示の向きを逆転させる。
第２開状態では、ディスプレイ(21)の向きが第１開状態とは上下逆になるので、これに応じて画像表示の向きも逆転させるのである。これによって、撮影者は正常な向きで画像を見ることが出来る。
【００４９】
上記第１実施形態のビデオカメラにおいては、マグネット(４)が、その磁化方向軸を第２ヒンジ軸(８)に対して傾斜させた姿勢で第２筐体(２)に内蔵されているので、マグネット(４)が単一であったとしても、Ｓ極用磁界センサー(６)は、図４に示す第１閉状態においてマグネット(４)の磁化方向軸の延長線上に配置し、Ｎ極用磁界センサー(５)は、図７に示す第２開状態においてマグネット(４)の磁化方向軸の延長線上に配置することが可能であり、Ｓ極用磁界センサー(６)とＮ極用磁界センサー(５)の何れか一方がオンとなることによって第１閉状態と第２開状態とを判別することが出来る。
【００５０】
従って、マグネット(４)の個数の単一化により、ビデオカメラの小型化、軽量化が実現される。又、複数のマグネットを配備することによる磁界の干渉が回避され、これによって検知不良を防止することが出来る。
【００５１】
２．第２実施形態
第２実施形態によるビデオカメラは、図８及び図９に示す様に、所謂横型のビデオカメラであって、横長の第１筐体(１)の側部に２軸ヒンジ機構(３)を介して第２筐体(２)が開閉可能に連結されている。
２軸ヒンジ機構(３)は、上下方向に延びて第１筐体(１)に連結された第１ヒンジ軸(７)と、第１ヒンジ軸(７)と直交する方向に延びて第２筐体(２)に連結された第２ヒンジ軸(８)とを有し、第１ヒンジ軸(７)と第２ヒンジ軸(８)とは互いに直交している。
【００５２】
第１筐体(１)は、第１ヒンジ軸(７)と平行な側面(12)を有し、第２筐体(２)は、第２ヒンジ軸(８)に沿って拡がる内面(22)と外面(23)を有している。
第１筐体(１)には撮影レンズ(10)や操作釦(11)が配備され、第２筐体(２)の内面(22)にはディスプレイ(21)が配備されている。
【００５３】
第２筐体(２)の内部には、１軸方向に磁化されてＮ極(41)とＳ極(42)を有するマグネット(４)が、その磁化方向軸を第２ヒンジ軸(８)に対して傾斜させて配置されている。
一方、第１筐体(１)の内部には、マグネット(４)のＮ極(41)から生じる磁界を検知することが可能なＮ極用磁界センサー(５)と、マグネット(４)のＳ極(42)から生じる磁界を検知することが可能なＳ極用磁界センサー(６)とが、側面(12)に沿って第１ヒンジ軸(７)方向と第１ヒンジ軸(７)に直交する軸方向の２方向のずれを伴って配備されている。
【００５４】
図８に示す様に、第２筐体(２)は、第１ヒンジ軸(７)回りに回転させることによって、矢印Ａの如く第１筐体(１)に対して開閉が可能である。又、図９に示す様に、第２筐体(２)は、第１筐体(１)から９０度開いた状態で第２ヒンジ軸(８)回りに正逆に回転させることにより、矢印Ｂに示す如く第２筐体(２)の内面(22)の向きを変えることが可能である。
これによって、図１０に示す第１閉状態と、図１１に示す第１開状態と、図１２に示す第２閉状態と、図１３に示す第２開状態とを設定することが出来る。
【００５５】
図１０示す如く第１閉状態では、第２筐体(２)がその内面を第１筐体(１)の側面に対向させて閉じられている。これによって全体がコンパクトに折り畳まれると共に、第２筐体(２)のディスプレイ(21)が隠れることによって、携帯時のディスプレイ(21)の損傷を防止することが出来る。
【００５６】
第１閉状態で、Ｓ極用磁界センサー(６)は、マグネット(４)の磁化方向軸の延長線上であって、Ｓ極(42)からの磁界を最も強く受ける位置に配置されており、Ｓ極(42)から生じる磁界によってオンとなる。
これに対し、Ｎ極用磁界センサー(５)は、マグネット(４)の磁化方向軸の延長線上からずれており、Ｎ極(41)からの磁界を殆ど受けることがないため、オフのままである。
【００５７】
そこで、図１５に示す様にＳ極用磁界センサー(６)がオン、Ｎ極用磁界センサー(５)がオフのときは、ディスプレイ(21)の画像表示をオフとする。
【００５８】
図１１に示す如く第１開状態では、第１閉状態から第２筐体(２)が第１ヒンジ軸(７)を中心として９０度回転することによって、第１筐体(１)を把持する撮影者側にディスプレイ(21)を向けて開かれている。これによって、撮影者はディスプレイ(21)の映像を確認しながら前方の風景を撮影することが出来る。
【００５９】
第１開状態で、Ｎ極用磁界センサー(５)及びＳ極用磁界センサー(６)はそれぞれ、マグネット(４)の磁化方向軸の延長線上からずれており、Ｎ極(41)やＳ極(42)からの磁界を殆ど受けることがないため、オフのままである。
【００６０】
そこで、図１５に示す様にＳ極用磁界センサー(６)とＮ極用磁界センサー(５)が共にオフのときは、ディスプレイ(21)の画像表示をオンとする。
【００６１】
図１２に示す如く第２閉状態では、第２筐体(２)がその外面を第１筐体(１)の側面に対向させて閉じられている。これによって、第２筐体(２)が閉じた状態でディスプレイ(21)を露出させることが出来るので、全体をコンパクトに折り畳んだ状態で、撮影した映像をディスプレイ(21)によって見ることが出来る。
【００６２】
第２閉状態で、Ｎ極用磁界センサー(５)は、マグネット(４)の磁化方向軸の延長線上であって、Ｎ極(41)からの磁界を最も強く受ける位置に配置されており、Ｎ極(41)から生じる磁界によってオンとなる。
これに対し、Ｓ極用磁界センサー(６)は、マグネット(４)の磁化方向軸の延長線上からずれており、Ｓ極(42)からの磁界を殆ど受けることがないため、オフのままである。
【００６３】
そこで、図１５に示す様にＳ極用磁界センサー(６)がオフ、Ｎ極用磁界センサー(５)がオンのときは、ディスプレイ(21)の画像表示をオンとすると共に、画像表示の向きを反転させる。
第２閉状態では、ディスプレイ(21)の向きが第１開状態とは上下逆になるので、これに応じて画像表示の向きも逆転させるのである。これによって、撮影者は正常な向きで画像を見ることが出来る。
【００６４】
図１３に示す如く第２開状態では、第１閉状態から第２筐体(２)が第１ヒンジ軸(７)回りに９０度回転し、更に第２筐体(２)が第２ヒンジ軸(８)を中心として１８０度回転することによって、ディスプレイ(21)を撮影レンズ(10)と同じ方向に向けて開かれている。これによって、撮影者は、撮影レンズ(10)を自己の方向へ向けて、ディスプレイ(21)の映像を確認しながら、自己を撮影することが出来る。
【００６５】
第２開状態で、Ｎ極用磁界センサー(５)は、マグネット(４)の磁化方向軸の延長線上であって、Ｎ極(41)からの磁界を最も強く受ける位置に配置されており、Ｎ極(41)から生じる磁界によってオンとなる。
これに対し、Ｓ極用磁界センサー(６)は、マグネット(４)の磁化方向軸の延長線上からずれており、Ｓ極(42)からの磁界を殆ど受けることがないため、オフのままである。
【００６６】
そこで、図１５に示す様にＳ極用磁界センサー(６)がオフ、Ｎ極用磁界センサー(５)がオンのときは、ディスプレイ(21)の画像表示をオンとすると共に、画像表示の向きを逆転させる。
第２開状態では、ディスプレイ(21)の向きが第１開状態とは上下逆になるので、これに応じて画像表示の向きも逆転させるのである。これによって、撮影者は正常な向きで画像を見ることが出来る。
【００６７】
上記第２実施形態のビデオカメラにおいては、マグネット(４)が、その磁化方向軸を第２ヒンジ軸(８)に対して傾斜させた姿勢で第２筐体(２)に内蔵されているので、マグネット(４)が単一であったとしても、Ｓ極用磁界センサー(６)は、図１０に示す第１閉状態においてマグネット(４)の磁化方向軸の延長線上に配置し、Ｎ極用磁界センサー(５)は、図１２に示す第２閉状態と図１３に示す第２開状態においてマグネット(４)の磁化方向軸の延長線上に配置することが可能であり、Ｓ極用磁界センサー(６)とＮ極用磁界センサー(５)の何れか一方がオンとなることによって第１閉状態と第２閉状態又は第２開状態とを判別することが出来る。
【００６８】
従って、マグネット(４)の個数の単一化により、ビデオカメラの小型化、軽量化が実現される。又、複数のマグネットを配備することによる磁界の干渉が回避され、これによって検知不良を防止することが出来る。
【００６９】
尚、本発明の各部構成は上記実施の形態に限らず、特許請求の範囲に記載の技術的範囲内で種々の変形が可能である。例えば、上記実施形態における第２筐体(２)内のマグネット(４)のＮ極(41)とＳ極(42)の位置を逆転させると共に、第１筐体(１)内のＮ極用磁界センサー(５)とＳ極用磁界センサー(６)の位置を入れ替えた構成においても同様の効果が得られる。
【００７０】
又、上記実施形態では、第１筐体(１)にマグネット(４)を配備すると共に、第２筐体(２)にＮ極用磁界センサー(５)とＳ極用磁界センサー(６)を配備しているが、第２筐体(２)にマグネット(４)を配備すると共に、第１筐体(１)にＮ極用磁界センサー(５)とＳ極用磁界センサー(６)を配備した構成を採用することも可能である。
【００７１】
本発明は、ビデオカメラに限らず、携帯電話機等の通信機器や、パーソナルコンピュータ等の情報処理機器に実施することも可能である。
更に本発明は、第１筐体(１)と第２筐体(２)からなる開閉式の電子機器に限らず、例えば第１体となる機器本体に対して、第２体となる操作レバーやアンテナ等が回動可能に連結された電子機器に実施して、操作レバーやアンテナ等の回動状態を判別することも可能である。
【符号の説明】
【００７２】
(１)  第１筐体
(10)  撮影レンズ
(11)  操作釦
(12)  側面
(２)  第２筐体
(21)  ディスプレイ
(22)  内面
(23)  外面
(３)  ２軸ヒンジ機構
(７)  第１ヒンジ軸
(８)  第２ヒンジ軸
(４)  マグネット
(41)  Ｎ極
(42)  Ｓ極
(５)  Ｎ極用磁界センサー
(６)  Ｓ極用磁界センサー
【図１】
2013051535.tif 000003
【図２】
2013051535.tif 000004
【図３】
2013051535.tif 000005
【図４】
2013051535.tif 000006
【図５】
2013051535.tif 000007
【図６】
2013051535.tif 000008
【図７】
2013051535.tif 000009
【図８】
2013051535.tif 000010
【図９】
2013051535.tif 000011
【図１０】
2013051535.tif 000012
【図１１】
2013051535.tif 000013
【図１２】
2013051535.tif 000014
【図１３】
2013051535.tif 000015
【図１４】
2013051535.tif 000016
【図１５】
2013051535.tif 000017